(57)【要約】      （修正有）【課題】磁石、又はチタン、ゲルマニウム、ケイ素等をプリント加工した膝関節治療器具に関し、患部の足に装着したままで楽に正座や立居振る舞いができるようにした膝関節治療具を提供する。【解決手段】穴を開けた革に磁石を接着し、該接着体の底辺に革を１枚接着し、更に肌に優しい柔らかな丈夫な布で包み接着し、更に底辺に布を接着したのち、膝関節治療具本体の処定の位置に接着して構成する。チタン、ゲルマニウム、ケイ素等のプリント加工を使用する場合は、前記磁石を使用した場合と同様の部分にプリント加工したものを接着あるいは縫い込み、肌に優しい柔らかい丈夫な布で覆い又は縫い込んで構成する。【選択図】図１
2008018218.tif 000002
【特許請求の範囲】
【請求項２】
磁石膝痛治療器具。出願番号２００５−１１１２３８。出願人５００２１５６３２。平成１５年１０月１０日付にて提出致しましたが。本体に使用致します生地名、特殊加工ゴム市販名ユーカスと称します、と各部署に数字を記入してありますので。生地を変えたり各部署の数字を少し変えるだけで真似をされるので不可との決論に達しました。尚ほ図３、に磁石、又はチタン、ゲルマニユーム、ケイ素等プリント加工したものをも使用致しまして、多方面に活用出来るように考慮致しまして、再提出致しますので大変お手数相掛け申訳無いのですが。全文全項目削除して下さるようにお願い申し上げる次第にご座います。
尚ほ図３、を以下磁石、又はプリント加工と称します。
図１、本体に使用致します生地は、肌に優しく柔らかく長期間に度って装着していとも、肌が変質することのない丈夫な生地を使用致します。図１、の如く抜き取りますが、凸部がご座いますのでこの部分は図２、の凸部は患部に装着した時点の引き延ばした状態なのです、これを接続致します。図３、磁石、又はプリント加工を使用致します。
【請求項１】
磁石使用の場合図４、革に使用する磁石の寸方より少し小さい穴を空ける。図５、は図４、の穴を空けた革に磁石を接着する。図６、は図５、の底辺に革を１枚接着する。図７、は図６、を肌に優しい柔らかな丈夫な布で包み接着したのち、図８、は図７、の底辺に更らに布を１枚接着したのち、図１、の本体の処定の位置に接着する。
【請求項２】
プリント加工を使用する場合は、図１、の磁石を使用の場合と同様の部分にプリント加工したものを全面的に接着又は縫い込むのち、プリント加工したものを直下に患部に当てることを避けるために、図７、の肌に優しい柔らかい丈夫な布で覆い接着又は縫い込む、図９、マジックテープ（イ）（ロ）。
このような構造のため、磁石、又はプリント加工したものを患部に当たるように配置接着又は縫い込むことにより、周囲の血行を良くして筋肉のコリをほぐしてくれるので、痛みや苦しみを柔らげると同時に楽に正座も立居振る舞や歩行時にも、又激しい運動時にも磁石、又はプリント加工が患部に密着しているので、違和感を覚える事もなく、その効果は大なるものとなります。
【発明の詳細な説明】
【枝術分野】
【００２０】  この発明は膝痛で悩み苦しんでいる人々に手軽るに患部に装着出来るため、患部の血行を良くして筋肉のコリをほぐしてくれます。従来市販されているものは
2008018218.tif 000003
どんな仕事をするためにも大変不自由なのですが、特に座る場合は患部の方の足を体の前方に出さねばなりませんが。本発明はその欠点を取り除き器具を装着したまゝで楽に正座や立居振る舞いが出来るように考慮したものである。尚ほ図３、磁石、又はチタン、ゲルマニユーム、ケイ素等プリント加工したものをも使用致しまして、多方面に活用出来るように考慮致しまして再提出致します。以下磁石、又はプリント加工と称します。
図１、本体に使用致します生地は、肌に優しく柔らかく温かく長期間に渡って装着していても、肌が変質することのない丈夫な生地を使用致します。
【背景枝術】
【００２１】  図１、本体に使用致します生地は、肌に優しく柔らかく温かく長期間に渡って装着していても、肌が変質することのない、丈夫な生地を使用致します。従来市
2008018218.tif 000004
るため、特に座る場合悪い方の足を体の前方に出さねばなりません。
【発明の解示】
【発明が解決しようとする課題】
【００２２】  本発明は、磁石、又はプリント加工を図１、の本体に接着して患部に当てることにより、周囲の血行を良くして筋肉のコリをほぐすことにより、正座も楽に出来立居振る舞い歩行時や激しい運動時にも患部に密着出来るように考案したものである。その効果の大なるを開発しようとするものである。
【課題を解決するための手段】
【００２３】
【請求項１】
いまその解決手段を図面に追いながら説明すれば。
図１、本体に使用致します生地は、肌に優しく柔らかく長期間に渡って装着していても、肌が変質することのない強靭な丈夫な生地を使用致します。図１、の如く抜き取りますが、凸部がございます。図２、は凸部を患部に装着した状態なのです、これを接続致します。図３、は磁石、又はプリント加工。
磁石を使用の場合
図４、革に使用する磁石の寸方より少し小さい穴を空ける。図５、は図４、の穴を空けた革に磁石を接着する。図６、は図５、の磁石を接着した底辺に更らに革を１枚接着する。図７、は図６、を肌に優しい丈夫な布で包み接着する。図８、は図７、の底辺に更らに布を１枚接着してのち、図１、の本体処定の位置に接着する。図９、マジックテープ（イ）（ロ）
【請求項２】
プリント加工を使用する場合
図１、本体に使用致します生地は、肌に優しく柔らかく長期間に渡って装着していても、肌が変質することのない強靭な丈夫な生地を使用致します。図１、の如く抜き取りますが、凸部が出来ますこの部分は、図２、の凸部は患部に装着した時点の引きのばした状態なのです。これを接続致します。プリント加工したものを、図１、の磁石を使用している場合と同様の部分に全面的に接着又は縫い込む、図７、の肌に優しい柔らかな丈夫な布でプリント加工したものを覆うて接着又は縫い込むプリント加工したものを直下に患部に当てないように配慮したものです、図９、マジックテープ（イ）（ロ）
【発明の効果】
【００２４】
2008018218.tif 000005
を被うているため座る場合悪い方の足を体の前方に投げ出すようになります、が本発明は以上のような構造であるから、これを装着使用することにより、磁石、又はプリント加工を患部に当てることにより、周囲の血行を良くして筋肉のコリをほぐすことにより、痛みや苦しみを柔らげると同時に楽に正座が出来立居振る舞い歩行時や激しい運動時にも。磁石、又はプリント加工が患部に密着しているので違和感を覚える事もなく。その効果は大なるものとなります。
【発明を実施するための最良の型態】
【００２５】
【請求項１】
本発明の実施の型態について説明する。
図１、の如く抜き取りますが、凸部がご座いますのでこの部分は、図２、の凸部は患部に装着した時点の引き延ばした状態なのです。これを接続致します、図３、磁石、又はプリント加工を使用致します。
磁石使用の場合
図４、革に使用する磁石の寸方より少々小さい穴を空ける。図５、は図４、の穴を空けた革に磁石を接着する。図６は、図５、の底辺に革を１枚接着する。図７、は図６、を肌に優しい柔らかな丈夫な布に包み接着したのち、図８、は図７、の底辺に更らに布を１枚接着したのち、図１、の処定の位置に接着する。
【請求項２】
プリント加工を使用する場合
図１、の如く抜き取りますが、凸部がご座いますのでこの部分は、図２、の凸部は患部に装着した時点の引き延ばした状態なのです。これを接続致します、プリント加工したものを、図１、の磁石を使用している場合と同様の部分に全面的に接着又は縫い込む、図７、の肌に優しい柔らかな丈夫な布でプリント加工したものを覆うて接着又は縫い込むプリント加工したものを直下に患部に当てないように配慮したものです、図９、マジックテープ（イ）（ロ）。
【実施例１】
【００２６】  図１、の磁石、又はプリント加工の配慮は、楽に正座が出来ることと立居振舞い歩行時や激しい運動時にも患部に密着出来るように考案したものである。尚ほ本体に使用致します生地は、肌に優しく柔らかく長期間に渡って装着していても、肌が変質することのない強靭な生地を使用致します。
【図面の簡単な説明】
【００２７】
【請求項１】
【図１】
本発明の正面図。磁石使用する場合。
【図２】
本体、図１、の凸部は患部に装着する時点の引き延ばした図。
【図３】
磁石、又はプリント加工。
【図４】
革に複数の穴を空けたもの、但しプリント加工を使用する場合は革に穴を空ける必要はない。
【図５】
革に複数の穴を空けたものに磁石を接着する。
【図６】
は、図５、の底辺に革を１枚接着する。
【図７】
は、図６、を肌に優しい柔らかな丈夫な布に包み接着する。
【図８】
は、図７、底辺に更らに布を１枚接着したのち、図１、の処定の位置に接着する。
【図９】
マジックテープ（イ）（ロ）。
【請求項２】
プリント加工を使用する場合。
【図１】
図１、の如く抜き取りますが、凸部がご座いますこの部分は、
【図２】
の凸部は患部に装着した時点の引き延ばした状態なのです、これを接続致します。
【図３】
プリント加工したものを、図１、の磁石を使用している場合と同様の部分に全面的に接着又は縫い込む。
【図７】
肌に優しい柔らかな丈夫な布でプリント加工したものを覆うて本体に接着又は縫い込む。プリント加工したものを直下に患部に当たらないように配慮したものです。
【図９】
マジックテープ（イ）（ロ）。
【符号の説明】
【００２８】
【請求項１】
磁石を使用する場合。
１  本発明の正面図。
２  本体、図１、の凸部は患部に装着した時点の引き延ばした図。
３  磁石、又はプリント加工。
４  革に複数の穴を空けたもの、但しプリント加工を使用する場合は革に穴を空ける必要はない。
５  革に複数の穴を空けた、図４、に磁石を接着する。
６  は、図５、の底辺に革を１枚接着する。
７  は、図６、を肌に優しい柔らかな丈夫な布に包み接着する。
８  は、図７、の底辺に更らに布を１枚接着したのち、図１、の本体の処定の位置に接着する。
９  マジックテープ（イ）（ロ）。
【請求項２】
プリント加工を使用する場合。
１  図１、の如く抜き取りますが、凸部がご座いますこの部分は、
２  図２、の凸部は患部に装着した時点の引き延ばした状態なのです、これを接続致します。
３  プリント加工したものを、図１、の磁石を使用している場合と同様の部分に全面的に接着又は縫い込む。
７  肌に優しい柔らかな丈夫な布でプリント加工をしたものを覆うてのち本体に接着又は縫い込む。プリント加工したものを直下に患部に当たらないように配慮したものです。
９  マジックテープ（イ）（ロ）。
【図１】
2008018218.tif 000006
【図２】
2008018218.tif 000007
【図３】
2008018218.tif 000008
【図４】
2008018218.tif 000009
【図５】
2008018218.tif 000010
【図６】
2008018218.tif 000011
【図７】
2008018218.tif 000012
【図８】
2008018218.tif 000013
【図９】
2008018218.tif 000014
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
磁石膝痛治療器具。出願番号２００５−１１１２３８。出願人５００２１５６３２。平成１５年１０月１０日付にて提出致しましたが、本体に使用致します生地名。特殊加工ゴム市販名ユーカスと称します。と各部処に数字を記入してありますので。生地名を変えたり各部処の数字を少し変えるだけで真似をされるので不可との決論に達しました。尚ほ、図３、に磁石、又はチタン、ゲルマニーム、ケイ素等プリント加工したものをも使用致しまして、多方面に活用出来るように考慮致しまして、再提出致しますので大変お手数相掛け申訳無いのですが。前文全項目削除して下さるようにお願い申し上げる次第にご座います。
尚ほ、図３、を以下磁石、又はプリント加工と称します。
図１、の本体に使用致します生地は、肌に優しく柔らかく長期間に渡って装着していても、肌が変質することのない丈夫な生地を使用致します。図１、の如く抜き取りますが、凸部がご座いますのでこの部分は、図２、の凸部は患部に装着した時点の引き延ばした状態なのです。これを接続致します。図３、磁石、又はプリント加工を使用致します。
【請求項２】
磁石使用の場合。
〔図４〕
革に使用する磁石の寸方より、少し小さい穴を複数空ける。
〔図５〕
は図４、の穴を空けた革に磁石を接着する。
〔図６〕
は図５、の底辺に革を１枚接着する。
〔図７〕
は図６、を肌に優しい柔らかな丈夫な布で包み接着したのち。
〔図８〕
は図７、の底辺に更らに布を１枚接着したのち、図１、の本体の処定の位置に接着する。
【請求項３】
プリント加工を使用する場合は、
図１、の磁石を使用の場合と同様の部分にプリント加工したものを全面的に接着又は縫い込むのち、プリント加工したものを直下に患部に当てることを避けるために、
〔図７〕
の肌に優しい柔らかい丈夫な布で覆い、接着又は縫い込む、
〔図９〕
マジックテープ（イ）（ロ）。
このような構造のため、磁石、又はプリント加工したものを患部に当たるように配置接着又は縫い込むことにより、周囲の血行を良くして筋肉のコリをほぐしてくれるので、痛みや苦しみを柔らげると同時に楽に正座も立居振る舞や歩行時にも、又激しい運動時にも磁石、又はプリント加工が患部に密着しているので、違和感を覚える事もなく、その効果は大なるものとなります。
【手続補正２】
【補正対象書類名】明細書
【補正対象項目名】全文
【補正方法】変更
【補正の内容】
【発明の詳細な説明】
【技術分野】
【０００１】  この発明は膝痛で悩み苦しんでいる人々に手軽るに患部に装着出来るため、患部の血行を良くして筋肉のコリをほぐしてくれます。従来市販されているものはほとんどの器具が膝関節、内側顆、外側顆、腓骨頭、等全体を覆うているため、どんな仕事をするためにも大変不自由なのですが、特に座る場合は患部の方の足を体の前方に出さねばなりませんが。本発明はその欠点を取り除き器具を装着したまゝで楽に正座や立居振る舞いが出来るように考慮したものである。尚ほ図３、磁石、又はチタン、ゲルマニューム、ケイ素等プリント加工したものをも使用致しまして、多方面に活用出来るように考慮致しまして再提出致します。以下磁石、又はプリント加工と称します。
図１、本体に使用致します生地は、肌に優しく柔らかく温かく長期間に渡って装着していても、肌が変質することのない丈夫な生地を使用致します。
【背景技術】
【０００２】  図１、本体に使用致します生地は、肌に優しく柔らかく温かく長期間に渡って装着していても、肌が変質することのない、丈夫な生地を使用致します。従来市販されている膝痛器具は、膝関節、内側顆、外側顆、腓骨頭、等全体を被うているため、特に座る場合悪い方の足を体の前方に出さねばなりません。
【発明の解示】
【発明が解決しようとする課題】
【０００３】  本発明は、磁石、又はプリント加工を図１、の本体に接着して患部に当てることにより、周囲の血行を良くして筋肉のコリをほぐすことにより、正座も楽に出来立居振る舞い歩行時や激しい運動時にも患部に密着出来るように考案したものである。その効果の大なるを開発しようとするものである。
【課題を解決するための手段】
【０００４】〔請求項１〕
いまその解決手段を図面に追いながら説明すれば。
〔図１〕
本体に使用致します生地は、肌に優しく柔らかく長期間に渡って装着していても、肌が変質することのない強靭な丈夫な生地を使用致します。図１、の如く抜き取りますが、凸部がございます。
〔図２〕
は凸部を患部に装着した状態なのです、これを接続致します。
〔図３〕
は磁石、又はプリント加工。
磁石を使用の場合。
〔図４〕
革に使用する磁石の寸方より少し小さい穴を複数空ける。
〔図５〕
は図４、の穴を空けた革に磁石を接着する。
〔図６〕
は図５、の磁石を接着した底辺に更らに革を１枚接着する。
〔図７〕
は図６、を肌に優しい丈夫な布で包み接着する。
〔図８〕
は図７、の底辺に更らに布を１枚接着してのち、図１、の本体処定の位置に接着する。
〔図９〕
マジックテープ（イ）（ロ）。
〔請求項２〕
プリント加工を使用する場合。
〔図１〕
本体に使用致します生地は、肌に優しく柔らかく長期間に渡って装着していても、肌が変質することのない強靭な丈夫な生地を使用致します。図１、の如く抜き取りますが、凸部が出来ますこの部分は、
〔図２〕
の凸部は患部に装着した時点の引き延ばした状態なのです。これを接続致します。プリント加工したものを、図１、の磁石を使用している場合と同様の部分に全面的に接着又は縫い込む、
〔図７〕
の肌に優しい柔らかな丈夫な布でプリント加工したものを覆うて接着又は縫い込むプリント加工したものを直下に患部に当てないように配慮したものです。
〔図９〕
マジックテープ（イ）（ロ）。
【発明の効果】
【０００５】従来市販されている膝痛治療器具は膝関節、内側顆、外側顆、腓骨頭等を全部を被うているため座る場合悪い方の足を前方に投げ出すようになります、が本発明は以上のような構造であるから、これを装着使用することにより、磁石、又はプリント加工を患部に当てることにより、周囲の血行を良くして筋肉のコリをほぐすことにより、痛みや苦しみを柔らげると同時に楽に正座が出来立居振る舞い歩行時や激しい運動時にも。磁石、又はプリント加工が患部に密着しているので違和感を覚える事もなく。その効果は大なるものとなります。
【発明を実施するための最良の型態】
【０００６】〔請求項１〕
本発明の実施の型態について説明する。
〔図１〕
の如く抜き取りますが、凸部がご座いますのでこの部分は、
〔図２〕
の凸部は患部に装着した時点の引き延ばした状態なのです。これを接続致します。
〔図３〕
磁石、又はプリント加工を使用致します。
磁石使用の場合
〔図４〕
革に使用する磁石の寸方より少々小さい穴を空ける。
〔図５〕
は図４、の穴を空けた革に磁石を接着する。
〔図６〕
は図５、の底辺に革を１枚接着する。
〔図７〕
は図６、を肌に優しい柔らかな丈夫な布に包み接着したのち、
〔図８〕
は図７、の底辺に更らに布を１枚接着したのち、図１、の処定の位置に接着する。
〔請求項２〕
プリント加工を使用する場合
〔図１〕
の如く抜き取りますが、凸部がございますのでこの部分は、
〔図２〕
の凸部は患部に装着した時点の引き延ばした状態なのです。これを接続致します、プリント加工したものを、図１、の磁石を使用している場合と同様の部分に全面的に接着又は縫い込む、
〔図７〕
の肌に優しい柔らかな丈夫な布でプリント加工したものを覆うて接着又は縫い込むプリント加工したものを直下に患部に当てないように配慮したものです。
〔図９〕
マジックテープ（イ）（ロ）。
【実施例１】
【０００７】〔図１〕
の磁石、又はプリント加工の配慮は、楽に正座が出来ることと立居振舞い歩行時や激しい運動時にも患部に密着出来るように考案したものである。尚ほ本体に使用致します生地は、肌に優しく柔らかく長時間に渡って装着していても、肌が変質することのない強靭な生地を使用致します。
【図面の簡単な説明】
【０００８】
【図１】本発明の正面図。磁石使用する場合。
【図２】本体、図１、の凸部は患部に装着する時点の引き延ばした図。
【図３】磁石、又はプリント加工。
【図４】革に複数の穴を空けたもの、但しプリント加工を使用する場合は革に穴を空ける必要はない。
【図５】革に複数の穴を空けたものに磁石を接着する。
【図６】は図５、の底辺に革を１枚接着する。
【図７】は図６、を肌に優しい柔らかな丈夫な布に包み接着する。
【図８】は図７、の底辺に更らに布を１枚接着したのち、図１、の処定の位置に接着する。
【図９】マジックテープ（イ）（ロ）。
【符号の説明】
【０００９】磁石を使用する場合。
１  本発明の正面図。
２  本体、図１、の凸部は患部に装着した時点の引き延ばした図。
３  磁石、又はプリント加工。
４  革に複数の穴を空けたもの、但しプリント加工を使用する場合は革に穴を空ける必要はない。
５  革に複数の穴を空けた、図４、に磁石を接着する。
６  は図５、の底辺に革を１枚接着する。
７  は、図６、を肌に優しい柔らかな丈夫な布に包み接着する。
８  は、図７、の底辺に更らに布を１枚接着したのち、図１、の本体の処定の位置に接着する。
９  マジックテープ（イ）（ロ）。
【手続補正３】
【補正対象書類名】図面
【補正対象項目名】全図
【補正方法】変更
【補正の内容】
【図１】
2008018218.tif 000015
【図２】
2008018218.tif 000016
【図３】
2008018218.tif 000017
【図４】
2008018218.tif 000018
【図５】
2008018218.tif 000019
【図６】
2008018218.tif 000020
【図７】
2008018218.tif 000021
【図８】
2008018218.tif 000022
【図９】
2008018218.tif 000023